(57)【要約】      （修正有）【課題】玉づまりが無く、騒音が少なく、少ない消費電力で経済的に駆動できる小型のパチンコ玉揚上装置を安価に提供する。【解決手段】玉供給樋３の玉供給孔３４の下に玉移送スプロケット２２を内蔵する玉移送樋２１の開口部を位置させる。玉供給樋３の玉供給孔３４には第１の退避バネ３３が設けられている。玉移送樋２１の入口には第２の退避バネ２３が設けられている。退避バネ２３、３３の作用によって玉供給樋３から連続して供給される玉は玉詰まりを起こすことなく、玉移送スプロケット２２によって玉揚上筒４に送られる。玉揚上筒４の下端には玉の逆流を防ぐ玉逆止バネ４１が設けれている。【選択図】図１
0003122722.tif 000002
【実用新案登録請求の範囲】
【請求項１】
上方が開放された半円弧状の玉移送樋内で回転する玉移送スプロケットによって玉を強制的に移送する玉移送部、該玉移送部の玉移送樋の出口に接続され玉を垂直方向に押し上げる玉揚上筒、上記玉移送部の玉供給側の上方に位置し玉を自重によって供給するための玉供給樋を備えたパチンコ玉揚上装置であって、上記玉供給樋の先端下面に設けた玉排出口には第１の退避バネを、上記玉移送樋の玉供給樋側の端部には板バネよりなる第２の退避バネを、上記玉揚上筒の下端には玉移送スプロケットの突起部は通過できるが玉は通過できない切割を有する玉分離板をそれぞれ設けたことを特徴とするパチンコ玉揚上装置。
【請求項２】
上記第２の退避バネは上記玉移送樋の端部より円弧状に延伸されて上記玉供給樋の玉排出口に臨ませるように配置されていることを特徴とする請求項１に記載のパチンコ玉揚上装置。
【請求項３】
上記玉分離板の近傍に板バネよりなる玉逆止バネを設けたことを特徴とする請求項１に記載のパチンコ玉揚上装置。
【考案の詳細な説明】
【技術分野】
【０００１】
本考案は、パチンコの遊技台から排出されるパチンコの玉をパチンコの遊技台の上方に設けた玉貯留容器に還流するためのパチンコ玉揚上装置、特にゲーム用パチンコ機用のパチンコ玉揚上装置に関する。
【背景技術】
【０００２】
パチンコ機にはゲーム用と遊技用の２種類がある。勝ち玉を景品等に交換できるパチンコ機は遊技用と言われ大量の玉が循環される。一方、ゲーム用のパチンコ機は景品と交換できないので循環されるパチンコの玉の数は少なく、通常、１台のパチンコ機で５０個前後の玉が循環している。
【０００３】
遊技用のパチンコ機ではゲーム機用のパチンコ機の数十倍の玉が循環するので、通常、十数台のパチンコ機の排出される玉を一カ所に集め大型の玉揚上装置を用いて上部にある大型貯留容器に返送し、横方向に伸びる樋を使って各パチンコ機に還流している。この玉揚上装置は特開平９−１４０９０８号公報や特開平１０−３２３４４６号公報に開示されているように歯車数が２０くらいの大型の移送スプロケットが用いられている。また、還流玉は玉移送スプロケットの横方向から下方に供給される。さらに、玉移送スプロケットの前には玉を整列させるための予備のスプロケットが設けられている。
【特許文献１】特開平９−１４０９０８号公報。
【特許文献２】特開平１０−３２３４４６号公報。
【考案の開示】
【考案が解決しようとする課題】
【０００４】
上記特開平９−１４０９０８号公報や特開平１０−３２３４４６号公報に開示されているパチンコ玉揚上装置は、大量の玉を処理するために装置自体が大型になると共に、玉づまりを防止するための予備のスプロケットを必要とする等、装置が複雑になり、その費用も高価となる。
【０００５】
一方、ゲーム用のパチンコ機の場合は循環される玉数も少ないので、このような大型の玉揚上装置を使用するのは不経済である。そこで、本考案の目的は、小型で部品点数も少ないにも拘わらず、玉づまりがないと共に騒音の少ないパチンコ玉揚上装置を安価に提供することにある。
【課題を解決するための手段】
【０００６】
本考案のパチンコ玉揚上装置は、上方が開放された半円弧状の玉移送樋内で回転する玉移送スプロケットによって玉を強制的に移送する玉移送部、該玉移送部の玉移送樋の出口に接続され玉を垂直方向に押し上げる玉揚上筒、上記玉移送部の玉供給側の上方に位置し玉を自重によって供給するための玉供給樋を備えたパチンコ玉揚上装置であって、上記玉供給樋の先端下面に設けた玉排出口には第１の退避バネを、上記玉移送樋の玉供給樋側の端部には板バネよりなる第２の退避バネを、上記玉揚上筒の下端には玉移送スプロケットの突起部は通過できるが玉は通過できない切割を有する玉分離板をそれぞれ設けたことを特徴とするものである。
【０００７】
第１の退避バネは玉供給樋の先端下面に設けられた長方形の開口部を半分ほど塞ぐようにして取り付けられ、その退避バネの基部は開口部の玉排出口の反対側に固定されている。その結果、開口部のほぼ半分は玉の直径よりも大きな玉排出口となる。
【０００８】
上記第２の退避バネは上記玉移送樋の端部より円弧状に延伸されて上記玉供給樋の玉排出口に臨ませるように配置されている。
【０００９】
さらに、上記玉揚上筒の下端には、玉移送スプロケットの突起部は通過できるが玉は通過できない切割を有する玉分離板が設けられている。さらに、この玉分離板の近傍には板バネよりなる玉逆止バネが設けられている。
【考案の効果】
【００１０】
（１）本考案では、玉供給樋の先端下方に第１の退避バネを備えているので、玉供給樋の先端の玉排出口近くで玉詰まりが生じた場合は、第１の退避バネが外側に押されて通路を拡大して玉詰まりを解消させることができる。
【００１１】
（２）本考案では、玉移送樋の先端に第２の退避バネを備えているので、自重によって供給されるパチンコ玉が玉移送スプロケットの１個の谷部に同時に２個入り込もうとして玉詰まりを起こそうとした際に、第２の退避バネが外側に動いて最先の玉のみ通過させて玉詰まりを解消することができる。
【００１２】
（３）本考案では、玉揚上筒の下端には玉移送スプロケットの突起部は通過できるが玉は通過できない切割を有する玉分離板を設けたので、玉移送部の玉移送スプロケットによって強制的に玉揚上筒の方向に移送されたパチンコの玉は玉分離版で玉移送スプロケットから分離され確実に玉揚上筒内に送り込まれる。
【００１３】
（４）本考案では、玉分離板の近傍に板バネよりなる玉逆止バネを設けたので、玉分離版で玉揚上筒に押し込まれた玉はこの玉逆止バネで支えられ逆流するのが防がれる。従って、玉移送スプロケットには過度の重力がかからず、小容量のモーターであってもスムーズに玉をパチンコ台の上に設けられた玉貯留容器に還流することができると共に、玉移送スプロケットの突起を乗り越えて玉揚上筒方向に移送された玉が突起を過ぎた直後、若干下方に落下するのを防止し、その落下によって生じる騒音を防ぎ、音の静かパチンコ玉揚上装置を提供することができる。
【考案を実施するための最良の形態】
【００１４】
本考案の最良の実施形態を次の実施例によって説明する。
【実施例】
【００１５】
本考案のパチンコ玉揚上装置１は図１に示すように、ケース１１内に玉移送部２，玉供給樋３の下端，玉揚上筒４の下端が組み込まれている。図４に示されるように、玉供給樋３は先端の下面に細長い開口部３２が開けられている。開口部３２の約半分ほどは第１の退避バネ３３によって塞がれ、その先に玉の直径よりもやや大きい玉供給孔３４が形成される。第１の退避バネ３３の基部は供給樋３の底面３５にスポット溶接３６され、第１の退避バネ３３の先端は開口部３２内で上下に移動可能に取り付けられている。
【００１６】
図１に示されるように、玉移送部２は上方が開放された半円弧状の玉移送樋２１、その中で回転する玉移送スプロケット２２より構成されている。玉移送樋２１の開口部先端には第２の退避バネ２３がスポット溶接２９によって取り付けられている。
【００１７】
図２に示されるように、玉移送スプロケット２２の回転軸２４にはギヤボックス２７を介してモーター２７が取付られている。従ってモーター２７の回転はギヤボックス２７で減速されて回転軸２４に伝導され、玉移送スプロケット２２を回転させる。玉移送スプロケット２２の回転に伴い、玉供給樋３から供給された玉を１個ずつその谷部２６に収容し、玉移送樋２１に沿って玉揚上筒４の方に送り出す。第１の退避バネ３３は先行する玉５１が谷部２６に入った後その後続の玉５２が更に同じ谷部に入ろうとするのを遮る役目をする。なお、図中３０は回転軸２４の脱落を防止するためのボスである。
【００１８】
また、第２の退避バネ２３は先行する玉５１に続いて次の玉５２が同じ谷部２６に入るろうとした場合、第２の退避バネ２３は若干外側に移動して、玉５１を優先的に谷部２６に収容し、玉詰まりが生じるのを阻止する役目をする。このように第１の退避バネ３３および第２の退避バネ２３が協同して、連続して送られてくるパチンコの玉が玉供給樋３から玉移送樋２１に供給される時に生じる玉ずまりを防止している。
【００１９】
玉移送スプロケット２２の谷部２６に取り込まれた玉は玉移送スプロケット２２の回転によって玉移送樋２１に沿って玉揚上筒４方向に送られる。図３に示すように、玉揚上筒４の下端には玉移送スプロケット２２の突起２５は通過するが玉は通さない切割４２を有する玉分離板４４が設けられているので、玉はこの分離板４４によって玉移送スプロケットの谷部２６から追い出され、玉逆止バネ４１の弾性に抗して上方に持ち上げられ玉逆止バネ４１の上に乗せられる。そして、後続の玉によって順次上方に押し上げられ、パチンコ台の上の玉貯留容器に還流される。
【００２０】
このようにして、還流するパチンコの玉は玉貯留容器に送られていくが、玉揚上筒４内の玉の重量は可成り大きなものになり、この玉を押し上げる玉移送スプロケット２２を回転するためのモーター２７の負荷は非常に大きくなる。しかし、玉揚上筒４の下端には玉逆止バネ４１がスポット溶接４３によって取り付けられていので、この玉逆止バネ４１が玉の逆流を阻止すると共に、玉揚上筒４内の玉の重力を支えているので、玉移送スプロケット２２を回転するためのモーター２７の負荷を非常に小さくすることができる。
【図面の簡単な説明】
【００２１】
【図１】本考案のパチンコ玉揚上装置で図２のＡ−Ａ線による縦断面図。
【図２】図１のＢ−Ｂ線による横断面図。
【図３】図１のＣ−Ｃ線による縦断面図。
【図４】玉供給樋の底面図。
【符号の説明】
【００２２】
２   玉移送部
２２   玉移送スプロケット
２３  第２の退避バネ
３   玉供給樋
３３  第１の退避バネ
４  玉揚上筒
４１  玉逆止バネ
【図１】
0003122722.tif 000003
【図２】
0003122722.tif 000004
【図３】
0003122722.tif 000005
【図４】
0003122722.tif 000006